(57)【要約】  ベースと、前記ベースに取り付けるのに適合したカバーと、前記ベースに前記カバーを取り外し可能に固定するのに適合したラッチ部材であって、前記ラッチ部材は、前記ベースに回動可能に取り付けられた第１の端部、及び、前記ラッチ部材から延びるラッチデテントを有する第２の端部を有し、前記ラッチデテントは、前記ラッチ部材により前記カバーが前記ベースに固定されるラッチ位置へと前記ラッチ部材が回動したとき、前記カバーの留め金に嵌合するよう構成することができることを特徴とするラッチ部材と、前記ラッチ部材に取り付けられたロック部材であって、前記ロック部材は、前記ロック部材のロック部材伸長部が前記カバー中のロック部材収納部と嵌合し、前記ラッチ部材がラッチ位置からラッチ解除位置に動くのを防止するロック位置と、前記ロック部材伸長部が前記カバー中のロック部材収納部と嵌合しないロック解除位置との間で動くことが可能であることを特徴とするロック部材と、を含む分電用ハウジングである。【選択図】図２Ｂ
2018530290.tif 000002
【特許請求の範囲】
【請求項１】
ベースと、
前記ベースに取り付けるのに適合したカバーと、
前記ベースに前記カバーを取り外し可能に固定するのに適合したラッチ部材であって、前記ラッチ部材は、前記ベースに回動可能に取り付けられた第１の端部、及び、前記ラッチ部材から延びるラッチデテントを有する第２の端部を有し、前記ラッチデテントは、前記ラッチ部材により前記カバーが前記ベースに固定されるラッチ位置へと前記ラッチ部材が回動したとき、前記カバーに形成された留め金にしっかりと嵌合するよう構成されていることを特徴とするラッチ部材と、
を具備する分電用ハウジング。
【請求項２】
前記ラッチ部材は、前記ベースの第１の側に回動可能に取り付けられた第１のラッチ部材であり、前記分電用ハウジングは、前記カバーを前記ベースに取り外し可能に固定するのに適合した第２のラッチ部材をさらに具備し、前記第２のラッチ部材は、前記ベースの第１の側とは反対側の第２の側に回動可能に取り付けられた第１の端部と前記ベースから延びるラッチデテントを有する第２の端部を有し、前記ラッチデテントは、前記第２のラッチ部材により前記カバーが前記ベースに固定されるラッチ位置へと、前記ラッチ部材が回動したとき、前記カバーに形成された留め金にしっかりと嵌合するよう構成されていることを特徴とする請求項１に記載の分電用ハウジング。
【請求項２】
前記ラッチ部材は、前記ラッチデテントを前記留め金からうまく取り外すことができるようにするために前記第２の端部の近傍にグリップを有することを特徴とする請求項１に記載の分電用ハウジング。
【請求項３】
前記グリップ及び前記カバーは、前記ラッチ部材がラッチ位置にあるとき、前記グリップと前記カバーとの間にリリーフを画定するよう構成されていることを特徴とする請求項２に記載の分電用ハウジング。
【請求項４】
前記ラッチ部材は、前記ラッチ部材がラッチ位置にあるとき、前記カバーの上端に延びることを特徴とする請求項１に記載の分電用ハウジング。
【請求項５】
前記カバー及び前記ベースは、第１の素材で形成され、前記ラッチ部材の少なくとも一部は、前記第１の素材とは異なる第２の素材で形成されることを特徴とする請求項１に記載の分電用ハウジング。
【請求項６】
前記ラッチデテントは、前記ラッチ部材がラッチ位置にあるとき、前記留め金とスナップ式で嵌合することを特徴とする請求項１に記載の分電用ハウジング。
【請求項７】
前記カバーは、前記カバーが前記ベースに取り付けられるとき、前記カバーと前記ベースの間で所定の位置合わせがなされるように前記ベースに形成されたベース溝とはめ合せるのに適合した、前記カバーから延びるカバー突起部を含むことを特徴とする請求項１に記載の分電用ハウジング。
【請求項８】
カバーと前記ベースとの間に入れられたシール部材をさらに具備することを特徴とする請求項１に記載の分電用ハウジング。
【請求項９】
前記ラッチ部材にスライド可能に取り付けられたロック部材をさらに具備し、前記ロック部材は、前記ロック部材のロック部材伸長部が前記カバーのロック部材収納部と嵌合し、前記ラッチ部材がラッチ位置からラッチ解除位置に動くのを防止するロック位置と、前記ロック部材伸長部が前記カバー中のロック部材収納部と嵌合しないロック解除位置との間で動くことが可能であることを特徴とする請求項１に記載の分電用ハウジング。
【請求項１０】
前記ラッチ部材は、前記ラッチ部材から延びる保持突起部を含み、前記ロック部材は前記ロック部材に形成された、第１の位置保持収納部と第２の位置保持収納部とを含み、前記保持突起部は、前記ロック位置及び前記ロック解除位置に取り外し可能に固定するよう、前記第１の位置保持収納部及び前記第２の位置保持収納部のうちの１つと嵌合ことを特徴とする請求項９に記載の分電用ハウジング。
【請求項１１】
ベースと、
前記ベースに取り付けるのに適合したカバーと、
前記ベースに前記カバーを取り外し可能に固定するのに適合したラッチ部材であって、前記ラッチ部材は、前記ベースに回動可能に取り付けられた第１の端部、及び、前記ラッチ部材から延びるラッチデテントを有する第２の端部を有し、前記ラッチデテントは、前記ラッチ部材により前記カバーが前記ベースに固定されるラッチ位置へと前記ラッチ部材が回動したとき、前記カバーに形成された留め金にしっかりと嵌合するよう構成されていることを特徴とするラッチ部材と、
前記ラッチ部材にスライド可能に取り付けられたロック部材であって、前記ロック部材は、前記ロック部材のロック部材伸長部が前記カバー中のロック部材収納部と嵌合し、前記ラッチ部材が前記ラッチ位置からラッチ解除位置に動くのを防止するロック位置と、前記ロック部材伸長部が前記カバー中の前記ロック部材収納部と嵌合しないロック解除位置との間で動くことが可能であることを特徴とするロック部材と、
を具備する分電用ハウジング。
【請求項１２】
前記ラッチ部材は、前記ラッチ部材から延びる保持突起部を含み、前記ロック部材は前記ロック部材に形成された、第１の位置保持収納部と第２の位置保持収納部とを含み、前記保持突起部は、前記ロック位置及び前記ロック解除位置に取り外し可能に固定するよう、前記第１の位置保持収納部及び前記第２の位置保持収納部のうちの１つと嵌合ことを特徴とする請求項１１に記載の分電用ハウジング。
【請求項１３】
前記ラッチ部材は、前記ベースの第１の側に回動可能に取り付けられた第１のラッチ部材であり、前記分電用ハウジングは、前記カバーを前記ベースに取り外し可能に固定するのに適合した第２のラッチ部材をさらに具備し、前記第２のラッチ部材は、ベースの第１の側とは反対側の第２の側に回動可能に取り付けられた第１の端部と前記ベースから延びるラッチデテントとを有し、前記ラッチデテントは、前記第２のラッチ部材により前記カバーが前記ベースに固定されるラッチ位置へと、前記ラッチ部材が回動したとき、前記カバーに形成された留め金にしっかりと嵌合するよう構成されていることを特徴とする請求項１１に記載の分電用ハウジング。
【請求項１４】
前記ラッチ部材は、前記ラッチデテントを前記留め金からうまく取り外すことができるようにするために前記第２の端部の近傍にグリップを有することを特徴とする請求項１１に記載の分電用ハウジング。
【請求項１５】
前記グリップ及び前記カバーは、前記ラッチ部材がラッチ位置にあるとき、前記グリップと前記カバーとの間にリリーフを画定するよう構成されていることを特徴とする請求項１１に記載の分電用ハウジング。
【請求項１６】
前記ラッチ部材は、前記ラッチ部材がラッチ位置にあるとき、前記カバーの上端に延びることを特徴とする請求項１１に記載の分電用ハウジング。
【請求項１７】
前記カバー及び前記ベースは、第１の素材で形成され、前記ラッチ部材の少なくとも一部は、第１の素材とは異なる第２の素材で形成されることを特徴とする請求項１１に記載の分電用ハウジング。
【請求項１８】
前記ラッチデテントは、前記ラッチ部材がラッチ位置にあるとき、前記留め金とスナップ式で嵌合することを特徴とする請求項１１に記載の分電用ハウジング。
【請求項１９】
前記カバーは、前記カバーが前記ベースに取り付けられるとき、前記カバーと前記ベースの間で所定の位置合わせがなされるように前記ベースに形成されたベース溝とはめ合せるのに適合した、前記カバーから延びるカバー突起部を含むことを特徴とする請求項１１に記載の分電用ハウジング。
【請求項２０】
カバーと前記ベースとの間に入れられたシール部材をさらに具備することを特徴とする請求項１１に記載の分電用ハウジング。
【発明の詳細な説明】
【技術分野】
【０００１】
（関連出願の相互参照）
本出願は、表題「固定された分電カバーラッチ」として、２０１５年９月９日に出願した米国仮特許出願番号６２/２１５，８２３に基づく優先権を主張するものであり、これらの出願内容のすべてを本出願に組み込むものとする。
【０００２】
本開示による実施形態は、一般に電気装置の分野に関し、より具体的には、工具の使用を必要とせずに、ベースに取り付け及びベースから取り外しができるカバーを有する分電用ハウジングに関する。
【背景技術】
【０００３】
分電用ハウジングは、「ジャンクションボックス」とも称されるが、従来、ヒューズブロック、ヒューズ、リレー、等の電気部品を収容するために用いられてきた。通常、これらの電気部品は集合体として、トラクタ／トレーラ連結車両内の冷凍装置のような、１以上の電気負荷に電気システムの電力を分電することができる。接合ハーネスコネクタ又はリングターミナルを、１以上の電気負荷に分電可能にするために、ハウジング内の１以上の電気部品に接続することができる。この分電用ハウジングを過酷な環境や天候にさらすことで、ハウジング内の電気部品を損傷又は破損させることがある。
【０００４】
過酷な周囲状態から内部の電気部品を保護するために、種々の分電用ハウジングが開発されてきた。しかし、そのような分電用ハウジングは、一般に、点検、交換、調整、その他のため、内部電気部品にアクセスする目的でハウジングを開閉するために、工具の使用を必要とする複雑な機械的構成を含んでいる。工具の使用を必要とするので、ハウジングの開閉作業は時間のかかる不便なものとなる。
【０００５】
本願による改良は、上記及びその他の検討事項に関するものである。
【発明の概要】
【０００６】
この概要は、簡単化した形式で概念の抜粋を紹介するために提示するものであり、以下にさらに詳細説明がなされる。この概要は、請求項の重要な特徴又は本質的な特徴を特定するものではなく、又は、請求項の技術的範囲を決定するためのものでもない。
【０００７】
本開示による分電用ハウジングの例示的実施形態は、ベースと、前記ベースに取り付けるのに適合したカバーと、前記ベースに前記カバーを取り外し可能に固定するのに適合したラッチ部材と、を含むことができ、前記ラッチ部材は、前記ベースに回動可能に取り付けられた第１の端部、及び、前記ラッチ部材から延びるラッチデテントを有する第２の端部を有し、前記ラッチデテントは、前記ラッチ部材により前記カバーが前記ベースに固定されるラッチ位置へと前記ラッチ部材が回動したとき、前記カバーに形成された留め金にしっかりと嵌合するよう構成することができる。
【０００８】
本開示による分電用ハウジングのもう１つの例示的実施形態は、ベースと、前記ベースに取り付けるのに適合したカバーと、前記ベースに前記カバーを取り外し可能に固定するのに適合したラッチ部材であって、前記ラッチ部材は、前記ベースに回動可能に取り付けられた第１の端部、及び、前記ラッチ部材から延びるラッチデテントを有する第２の端部を有し、前記ラッチデテントは、前記ラッチ部材により前記カバーが前記ベースに固定されるラッチ位置へと前記ラッチ部材が回動したとき、前記カバーに形成された留め金にしっかりと嵌合するよう構成されていることを特徴とするラッチ部材と、前記ラッチ部材にスライド可能に取り付けられたロック部材であって、前記ロック部材は、前記ロック部材のロック部材伸長部が前記カバー中のロック部材収納部と嵌合し、前記ラッチ部材がラッチ位置からラッチ解除位置に動くのを防止するロック位置と、前記ロック部材伸長部が前記カバー中のロック部材収納部と嵌合しないロック解除位置との間で動くことが可能であることを特徴とするロック部材と、を含むことができる。
【図面の簡単な説明】
【０００９】
例示のため、開示した装置の種々の実施形態を、添付図面を参照して説明する。
【図１】本開示の実施形態による例示的分電用ハウジングの側面図である。
【図２Ａ】本開示の実施形態による例示的分電用ハウジングの等角図である。
【図２Ｂ】本開示の実施形態による図２Ａの例示的分電用ハウジングの側部切り欠き図である。
【図３Ａ】本開示の実施形態による例示的分電用ハウジングの等角図である。
【図３Ｂ】本開示の実施形態による図３Ａの例示的分電用ハウジングの側部切り欠き図である。
【図４Ａ】本開示の実施形態による例示的分電用ハウジングの側部切り欠き図である。
【図４Ｂ】本開示の実施形態によるロック解除位置における図４Ａの例示的分電用ハウジングの等角図である。
【図４Ｃ】本開示の実施形態によるロック位置における図４Ａの例示的分電用ハウジングの等角図である。
【発明を実施するための形態】
【００１０】
本実施形態について、いくつかの実施形態が示された添付図を参照しながら、さらに詳細に以下に説明する。本開示の対象は、しかしながら、多くの異なる形態で実施することができ、ここに述べる実施形態に限定されると解釈すべきでない。むしろ、これらの実施形態は、この開示により、当業者に発明内容の技術的範囲を完全に十分伝達するために、提示するものである。図において、全体的に類似する番号は類似の構成要素を示す。
【００１１】
図１を参照すると、本開示の例示的実施形態による非限定的な分電用ハウジング１００の側面図が示されている。分電用ハウジング１００は、カバー１０４、ベース１０８、及び、詳細を以下に記述するような、カバー１０４をベース１０８に取り外し可能に取り付けるための１以上のラッチ部材１１２を含むことができる。１以上のラッチ部材１１２の各々は、ベース１０８に回動可能に取り付けられた第１の端部１１２Ａと、カバー１０４内に又はカバー１０４上に伸ばすのに適合した第２の端部１１２Ｂとを有することができる。いくつかの実施形態では、１以上のラッチ部材１１２の各々は湾曲した形状を有することができる。第１の端部１１２Ａは、１以上の回動可能な結合部１１６を介してベース１０８に取り付けることができる。回動可能な結合部１１６は、ラッチ部材１１２をベース１０８に対して相対的に回転できるようにすることができる。いくつかの実施形態では、回動可能な結合部１１６は、ピン及びブッシングのセットを含むことができる。実施形態はこの記載に限定されない。
【００１２】
カバー１０４は、ベース１０８上にはめ込み１以上のラッチ部材１１２によりベース１０８に固定することができるように構成することができる。カバー１０４がラッチ部材１１２によりベース１０８に固定、又は「ラッチ」されると、分電用ハウジング１００の内部が、分電用ハウジング１００内の全ての部品が過酷な環境及び天候状態から効果的に保護されるように、シールすることができる。分電用ハウジング１００の内容として、１以上の分電モジュール、リレー、ヒューズブロック、ヒューズホルダー、断路器、その他を含むことができる。いくつかの実施形態では、１以上のラッチ部材１１２によりカバー１０４をベース１０８に固定するときに、Ｏリング、ガスケット又は類似のシール部材をカバー１０４とベース１０８との間に挟んで圧縮させることができる。
【００１３】
図２Ａを参照して、本開示の例示的実施形態による非限定的な分電用ハウジング２００の詳細図が示されている。分電用ハウジング２００は、上述の分電用ハウジング１００と類似し、カバー２０４、ベース２０８、及びベース２０８にカバーを固定するラッチ部材２１２を含むことが出来る。ラッチ部材２１２は、ベース１０８に回動可能に取り付けられた第１の端部２１２Ａと、カバー１０４内に又はカバー１０４上に伸ばすのに適合した第２の端部２１２Ｂとを有することができる。第１の端部２１２Ａは、回動可能な結合部２１６によりベース２０８に取り付けることができる。回動可能な結合部２１６は、上述した回動可能な結合部１１６と同様とすることができ、ラッチ部材２１２を上述したラッチ部材２１２の場合と同様な方法で、ベース２０８に対して相対的に回動させることができる。
【００１４】
ラッチ部材２１２は、第２の端部２１２Ｂの近傍にグリップ２２０を含むことができる。グリップ２２０は、カバー２０４をベース２０８にラッチ又はベース２０８からラッチ解除をするときに使い勝手の良い操作を手助けするためにラッチ部材１１２をユーザが手で把持することを可能にするよう構成することができる。例えば、グリップ２２０は、ユーザの指を入れるための下部空洞を画定する隆起部を含むことができる。いくつかの実施形態では、下部空洞は、凹部面を含むことができる。種々の実施形態において、グリップ２２０は、ユーザに機械的な利点をもたらす。このような種々の実施形態において、機械的な利点により、ベース２０８からカバー２０４のラッチを解除をするのに工具の必要性をなくす。例えば、グリップ２２０中のユーザの指のための下部空洞を、カバー２０４をベース２０８からラッチ解除するのに活用することができる。実施形態はこの記載に限定されるものではない。カバー２０４をベース２０８から又はベース２０８に取り外し／固定するために、工具を使う必要がないので、分電用ハウジング２００の内部に簡単にアクセスすることができる。以下に詳細説明するように、ラッチ部材２１２により、ユーザは、工具を使わないで、カバー２０４をベース２０８にうまく固定することができ、また、カバー２０４をベース２０８から取り外すことができる。これにより、分電用ハウジング２００への（保守、部品の再配置、その他のための）アクセス、及びその後、カバー２０４をベース２０８へ再度取り付けるのを非常に簡単かつ迅速に行うことができる。
【００１５】
カバー２０４、ベース２０８、及びラッチ部材２１２は、１以上の素材で形成することができる。種々の実施形態において、素材として、種々のプラスチック、金属、ポリマー、合金、有機物質、その他を含むことができるがこれらに限定されない。素材は、剛性、耐久性、弾力性、電気的絶縁性、その他を含む好ましい特性を達成させるために選択することができる。図解した実施形態において、カバー２０４及びベース２０８は、第１の素材で形成し、ラッチ部材２１２は、第２の素材で形成することができる。いくつかの実施形態では、第１の素材は、衝撃等の過酷な条件から分電用ハウジング２００の中身を保護するために、素材の剛性及び耐久性により選択することができる。第２の素材は、以下に詳述するように、ラッチ部材２１２が柔軟にカバー２０４との「スナップ」式の嵌合を達成できるようにするために、第１の素材より弾力性のあるものとすることができる。いくつかの実施形態では、カバー２０４、ベース２０８、及びラッチ部材２１２の内の１以上に異なる素材を用いることができる。例えば、ラッチ部材２１２の、ある部分はラッチ部材２１２の他の部分より柔軟な、ツーショット成形処理を用いて構成することができる。いくつかの実施形態では、ラッチ部材２１２は、湾曲した外形とすることができる。
【００１６】
図２Ｂを参照すると、図２Ａに示された分電用ハウジング２００の側部切り欠き図が示されている。上述の通り、分電用ハウジング２００は、カバー２０４、ベース２０８、及びラッチ部材２１２を含むことができる。ベース２０８は、対応する１以上のカバー溝２３０及び／又はカバー２０４に形成されたカバー突起部２３２をはめ合せるに適合した１以上のベース溝２３４及び／又はベース突起部２３６を含むことができる。カバー溝２３０及び／又はカバー突起部２３２とベース溝２３４及び／又はベース突起部２３６との嵌合により、カバー２０４の手動での調整又は再配置を行う必要なしにラッチ部材２１２の適切な位置合わせを容易にするために、好ましい所定の方法で、カバー２０４をベース２０８と整列させることができる。いくつかの実施形態では、１以上のＯリング、ガスケット、その他のシール部材をベース溝２３４及び／又はカバー溝２３０に入れることができ、カバー２０４がベース２０８に固定（例えば、ラッチ）されるとき、カバー２０４とベース２０８との間で圧縮することができる。シール部材により、ダメージを与える可能性のある液体及び／又は微粒子が分電用ハウジング２００に侵入するのを防止することができる。実施形態はこの記載に限定されない。
【００１７】
図２Ｂに示すように、ラッチデテント２４０は、ラッチ部材２１２のグリップ２２０近傍の下方表面から突き出るようにすることができる。カバー２０４がベース２０８にラッチされたとき、ラッチ保持突起部２４１を介して、カバー２０４に形成された収納部又は留め金２４２にラッチデテント２４０を保持することができ、これらの間でスナップ嵌合がなされる。例えば、ラッチ部材２１２はロック位置に回動したとき、ラッチデテント２４０がラッチ保持突起部２４１を越えることができるように、ラッチ部材２１２は収縮することができる。完全にロック位置に回動したとき、ラッチデテント２４０は、ラッチ保持突起部２４１を越え、図２Ｂに示すように、留め金２４２にはめ込まれる。グリップ２２０は、グリップの下に指が入るような空間を設け、グリップ２２０を手で握り引っ張ることで、留め金２４２からラッチデテント２４０を楽に外すのに便利なようにするリリーフ２４３を含むことができる。
【００１８】
図３Ａを参照すると、本開示による非限定的な例示的実施形態による分電用ハウジング３００が示されている。この分電用ハウジング３００は、上述の分電用ハウジング１００、２００に類似し、カバー３０４、ベース３０８、及びカバー３０４をベース３０８に固定するためのラッチ部材３１２を含むことができる。ラッチ部材３１２は、第１の端部３１２Ａと第２の端部３１２Ｂとを有することができる。第１の端部３１２Ａは、回動可能な結合部３１６により、ベース３０８と接続することができる。回動可能な結合部３１６により、ラッチ部材３１２はベース３０８に対して回転可能とすることができる。ラッチ部材３１２は、ベース３０８をカバー３０４に固定し、それにより過酷な環境状態から分電用ハウジング３００の内容物を保護するよう構成することができる。いくつかの実施形態では、ラッチ部材３１２は湾曲した形状を有することができる。ラッチ部材３１２は、第２の端部３１２Ｂの近傍にグリップ３２０を含むことができる。グリップ３２０は、ユーザが工具を使わないでカバー３０４をベース３０８に固定し又はベース３０８から取り外すことができるよう構成することができる。ベース３０８に／ベース３０８からカバー３０４を固定／取り外しを行うために工具を必要としないので、分電用ハウジング３００内へのアクセスが簡単になる。グリップ３２０は、ベース３０８に／ベース３０８からカバー３０４を固定／取り外しをユーザが行うためアクセス可能な接触域を広げるよう構成することができる。いくつかの実施形態では、グリップ３２０は、カバー３０４をベース３０８から取り外すために構成された、１以上の湾曲、先端部、フランジ、その他を含むことができる。実施形態はこの記載に限定されるものではない。
【００１９】
図３Ｂを参照すると、本開示による非限定的な例示的実施形態による分電用ハウジング３００の切り欠き図が示されている。分電用ハウジング３００カバー３０４、ベース３０８、及びラッチ部材３１２を含むことができる。図示した実施形態において、ラッチ部材３１２は、ラッチデテント３４０が留め金３４２で受けとめられたとき、カバー３０４をベース３０８に固定する。グリップ３２０は、ラッチデテント３４０を留め金３４２から簡単に取り外す一方、カバー３０４がベース３０８に固定されているときは強い保持力を維持するために、指が入るグリップ空間を作るための突き出たリブを含むことができる。いくつかの実施形態では、グリップ３２０は、複合した湾曲面を含むことができる。実施形態はこの記載に限定されるものではない。
【００２０】
図４Ａを参照すると、本開示の非限定的な例示的実施形態による分電用ハウジング４００の側部切り欠き図が示されている。この分電用ハウジング４００は、上述の分電用ハウジング１００、２００、３００に類似していて、カバー４０４、ベース４０８、ラッチ部材４１２を含むことができ、さらにロック部材４５０を含むことができる。カバー４０４は、はめ込みによりベース４０８に固定することができるように構成することができる。カバー４０４は、留め金４４２、ロック部材収納部４６３、及びロック部材ガイドチャンネル４６４を含むことができる。留め金４４２は、カバー４０４をベース４０８に取り外し可能に保持するためにラッチ部材４１２のラッチデテント４４０を受け入れることができる。ロック部材収納部４６３は、カバー４０４をベース４０８に取り外し可能に保持するためにロック部材４５０のロック部材伸長部４６１を受け入れることができる。ロック部材ガイドチャンネル４６４は、ラッチデテント４４０が留め金４４２で受け止められたときロック部材突起部４６０に接触又はその周囲に位置することができる。種々の実施形態において、ラッチ部材４１２は、カバー４０４をベース４０８に取り外し可能に保持することができ、ロック部材４５０は、カバー４０４をベース４０８に取り外し可能に固定することができる。実施形態はこの記載に限定されるものではない。
【００２１】
ラッチ部材４１２はラッチ部材開口４５４を含むことができる。ラッチ部材開口４５４は、ロック部材４５０の少なくとも一部を受け入れることができる。ラッチ部材突起部４５８は、ロック部材４５０がラッチ部材４１２で受け止められたとき、ロック部材溝４６２に接触すること又は実質的にロック部材溝４６２に囲まれることができる。ロック部材４５０は、ラッチ部材４１２に対して少なくとも２つの位置間で動き又はスライドするよう構成することができる。ロック部材４５０は、位置保持突起部４６６が第１の位置保持収納部４６８に入ったとき、第１の位置に保持することができる。ロック部材４５０は、位置保持突起部４６６が第２の位置保持収納部４７０に入ったとき、第２の位置に保持することができる。種々の実施形態において、第１の位置は、ロック解除位置とすることができ、第２の位置は、ロック位置とすることができる。種々のこのような実施形態において、ロック解除位置では、ロック部材伸長部４６１は、ロック部材収納部４６３に受け入れられておらず（図４Ａに示される）、ロック位置では、ロック部材伸長部４６１はロック部材収納部４６３に受け入れられている。ロック部材伸長部４６１がロック部材収納部４６３に受け入れられているとき、カバー４０４はベース４０８に取り外し可能に固定することができる。
【００２２】
ロック部材４５０は、工具を使わないでロック部材４５０を第１の位置と第２の位置との間でユーザが調整可能なように、グリップ４２０を含むことができる。いくつかの実施形態では、グリップ４２０は、第１の位置と第２の位置との間でロック部材４５０を動かすための手段を提供することができる。カバー４０４をベース４０８へ／ベース４０８から固定／解除するために工具を使用する必要がないので、第２の位置でベース４０８にカバー４０４を堅固に保持することを可能にする一方で、第１の位置でベース４０８からカバー４０４を簡単に取り外すことができる。図示の実施形態において、第１の位置は、ロック解除位置４００Ｂ（図４Ｂ参照）とすることができ、第２の位置は、ロック位置４００Ｃ（図４Ｃ参照）とすることができる。
【００２３】
種々の実施形態において、カバー４０４及びベース４０８は、第１の素材で形成することができ、ラッチ部材４１２は第２の素材で形成することができ、ロック部材４５０は第３の素材で形成することができる。種々のこのような実施形態において、第２の素材は、第１の素材及び／又は第３の素材より柔軟性を高くすることができる。いくつかの実施形態では、第１の素材、第２の素材、第３の素材のうちの１以上は同じ素材とすることができる。種々の実施形態において、ラッチ部材４１２及びロック部材４５０は、ツーショット成形処理で形成することができる。種々の実施形態において、ラッチ部材４１２は湾曲した形状を有することができる。いくつかの実施形態では、素材として、種々のプラスチック、金属、合成素材、ポリマー、合金、有機物質、その他を含むことができるがこれらに限定されない。素材は、剛性、耐久性、弾力性、電気的絶縁性、その他を含む好ましい特性を達成させるために選択することができる。
【００２４】
図４Ｂを参照すると、本開示の非限定的な例示的実施形態によるロック解除位置４００Ｂにある分電用ハウジング４００が示されている。ロック解除位置４００Ｂにおいて、ロック部材４５０はラッチ部材開口４５４に受け入れられる。ロック解除位置４００Ｂにおいて、いくつかの実施形態ではロック部材４５０は、ラッチ部材開口４５４から突き出る。ロック解除位置４００Ｂにおいて、ロック部材４５０を、ロック部材４５０がラッチ部材４１２をベース４０８に対して相対的に回動することを防ぐことができないような場所に配置することができる。例えば、ロック部材伸長部４６１はロック部材収納部４６３に受け入れられることはできない。ラッチ部材４１２は、カバー４０４との接触を維持することができ、それによりベース４０８をカバー４０４に取り付ける。ロック解除位置４００Ｂにおいて、ラッチ部材４１２はカバー４０４とベース４０８との接触を維持させることができる。しかし、ロック解除位置４００Ｂでは、ロック解除位置４００Ｂにおいてカバー４０４がベース４０８に固定されていないので、分電用ハウジング４００の内容物を過酷な環境から完全に保護できないことがある。
【００２５】
図４Ｃを参照すると、本開示の非限定的な例示的実施形態による、ロック位置４００Ｃにある分電用ハウジング４００が示されている。ロック位置４００Ｃにおいて、ロック部材４５０はラッチ部材開口４５４に受け入れられる。いくつかの実施形態では、ロック部材４５０は、ロック位置４００Ｃにおいて、ラッチ部材開口４５４と同一面又はラッチ部材開口４５４より低くなることがある。他の実施形態において、ロック部材４５０は、ロック位置４００Ｃにおいて、分電用ハウジング４００がロック解除位置４００Ｂにあるときよりも少しだけラッチ部材開口４５４から突き出ることがある。ロック位置４００Ｃにおいて、ロック部材４５０は、ロック部材４５０がラッチ部材４１２をベース４０８に対して相対的に回動することを防ぐことができるような場所に配置することができる。例えば、ロック部材伸長部４６１は、ロック部材収納部４６３により受け入れられることができる。ロック位置４００Ｃにおいて、ロック部材４５０は、カバー４０４をベース４０８に固定することができる。カバー４０４がラッチ部材４１２とロック部材４５０とによりベース４０８に固定されたとき、分電用ハウジング４００の内部を、分電用ハウジング４００の外部の過酷な環境から保護することができる。
【００２６】
ロック解除位置４００Ｂとロック位置４００Ｃとを用意することで、カバー４０４をベース４０８に固定する前に、ユーザは確実に、ベース４０８によりカバー４０４が適切に位置合わせされ及び／又は受け入れられるようにすることができる。確実に、ベース４０８によりカバー４０４が適切に位置合わせされ及び／又は受け入れられるようにすることで、分電用ハウジング４００の内容物を過酷な環境条件から保護するために分電用ハウジング４００が適切に組み立てられているかどうかをユーザが容易に見分けることができるようになる。
【００２７】
当然のことながら、分電用ハウジング４００の部品はモールドすること又は上述のような方法で形成することができるが、分電用ハウジング４００の部品を形成する他の方法を追加的又は代替的に実施することができる。さらに、上述の分電用ハウジング１００、２００、３００の１以上の部品を本開示から逸脱することなく１以上の素材でモールド又は形成することができると考えられる。
【００２８】
当然のことながら、分電用ハウジング４００の図解した実施形態は、ロック、ロック解除、ロック位置の保持又はロック解除位置の保持を上述した方法で行うことができるが、他の分電用ハウジング４００のロック、ロック解除、ロック位置の保持及び／又はロック解除位置の保持の構成も追加的又は代替的に実施することができる。例えば、ロック解除位置４００ａでスプリングによりロック部材４５０にバイアスを掛け、クリップ又はラッチによりロック位置４００Ｃにロック部材４５０を保持することができる。さらに、分電用ハウジング１００、２００、３００、４００の１以上の部品を、本開示から逸脱することなく複数の別々の部品で組み立てることができると考えられる。
【００２９】
ここに用いたように、単語「ａ」又は「ａｎ」が先行して、１つであるとして挙げたエレメント又は動作は、明示的に記載がない限り複数のエレメント又は動作を除外するものではない。さらに、本発明での「１つの実施形態」は、列挙した特徴を組み込んだ別の方法又は実施形態の存在を除外することを意図するものではない。
【００３０】
本開示は、ここに記載された具体的な実施形態の技術的範囲に限定されない。実際には、本開示についてのここに記載されたものに加えて他の様々な実施形態、及び、改良については、当業者には、先の説明及び添付図から明らかなものである。従って、そのような、他の実施形態、及び、改良は、本開示の技術的範囲に含まれるものとする。さらに、特定の目的で特定の条件において特定の実施形態が記載されている文章として、ここに本開示が記載されているが、当業者であれば、利用価値はこの記載に限定されないこと、及び、本開示は、様々な状況下で様々な目的で有益に実施できることを認識することができよう。従って、以下に記載された特許請求の範囲は、ここに記載したように、本開示の全範囲及び精神を考慮して解釈されるべきである。
【図１】
2018530290.tif 000003
【図２Ａ】
2018530290.tif 000004
【図２Ｂ】
2018530290.tif 000005
【図３Ａ】
2018530290.tif 000006
【図３Ｂ】
2018530290.tif 000007
【図４Ａ】
2018530290.tif 000008
【図４Ｂ】
2018530290.tif 000009
【図４Ｃ】
2018530290.tif 000010
【国際調査報告】
2018530290.tif 000011
2018530290.tif 000012